(57)【要約】【目的】反物状態の広幅シートをインクジェットマシンの装着位置まで持ち上げる装置及び方法を提供する。【構成】（Ａ）脚部（２２）と、脚部により支持される支柱（２３）と、支柱に沿って昇降する昇降部材（２４）からなる昇降装置。前記昇降部材（２４）は、反物状広幅シート（１０）を巻き付けた紙管（１１）の少なくとも１／３の長さのアーム（２５）を有する。（Ｂ）前記昇降装置を使用してインクジェット印刷用広幅シート（１０）を昇降させる方法であって、以下の工程を有する。（ａ）反物状の広幅シートを昇降装置の脚部（２２）に近づける。（ｂ）昇降装置のアーム（２５）を広幅シートの紙管（１１）の中に差し込む。（ｃ）この差し込み状態で昇降部材（２４）を作動させ、所望の位置まで持ち上げる。（ｄ）所望の位置で広幅シート（１０）をアーム（２５）から外す。【選択図】  図２
2004358763.tif 000002
【特許請求の範囲】
【請求項１】
脚部（２２）と、脚部により支持される支柱（２３）と、支柱に沿って昇降する昇降部材（２４）からなり、
前記昇降部材（２４）は、反物状広幅シート（１０）を巻き付けた紙管（１１）の少なくとも１／３の長さのアーム（２５）を有することを特徴とする、インクジェット印刷用広幅シート昇降装置。
【請求項２】
脚部（２２）は平行に２本設けられていて、それぞれアーム（２５）とほぼ同じ長さである請求項１記載の装置。
【請求項３】
アーム（２５）の長さが紙管（１１）の長さの１／３  〜  ２／３の長さである請求項１又は２記載の装置。
【請求項４】
アーム（２５）が、伸縮自在である請求項１ないし３のいずれかに記載の装置。
【請求項５】
アーム（２５）の太さが、３インチ内径の標準型紙管に楽に差し込むことができ、隙間が出来過ぎないものである請求項１ないし４のいずれかに記載の装置
【請求項６】
脚部（２２）と、脚部により支持される支柱（２３）と、支柱に沿って昇降する昇降部材（２４）からなる昇降装置を使用してインクジェット印刷用広幅シート（１０）を昇降させる方法であって、以下の工程を有することを特徴とする方法。
（ａ）反物状の広幅シート（１０）を昇降装置の脚部（２２）に近づける。
（ｂ）昇降装置のアーム（２５）を広幅シートの紙管（１１）の中に差し込む。
（ｃ）この差し込み状態で昇降部材（２４）を作動させ、所望の位置まで持ち上げる。
（ｄ）所望の位置で広幅シート（１０）をアーム（２５）から外す。
【請求項７】
広幅シート（１０）を昇降装置の脚部（２２）まで運ぶのにはそり（１２）を使用する請求項６記載の方法。
【発明の詳細な説明】
【０００１】
【発明の属する技術分野】
本発明はインクジェット印刷用広幅シートの昇降装置及び方法に関する。
【０００２】
【従来の技術】
昨今のインクジェット印刷技術の進歩により、２〜５ｍの広幅シートへの印刷が可能となっている。
【０００３】
【発明が解決しようとする課題】
そのような広幅シートは反物状態でインクジェットマシンに装着するのであるが、例えばテント生地等は総重量が重く、取り扱いに困難を来していた。例えば、３ｍ×５０ｍの場合、１ｍ２当たり０．７ｋｇとして総重量は１０５ｋｇにもなる。これを持ち上げて梱包を解き、インクジェットマシンに装着するには２〜４人の作業員が必要である。また、そのような重量物を取り扱う作業は危険度も高く、神経を使うものである。
【０００４】
本発明は、この問題に鑑みて行われたもので、反物状態の広幅シートをインクジェットマシンの装着位置まで持ち上げる装置及び方法を提供しようとするものである。
【０００５】
【課題を解決するための手段】
本発明の装置は、脚部と、脚部により支持される支柱と、支柱に沿って昇降する昇降部材からなり、この昇降部材は、広幅シートを巻き付けた紙管の少なくとも１／３の長さのアームを有することを特徴とする。
【０００６】
本発明の方法は、次の工程を有することを特徴とする。
（ａ）広幅シートを昇降装置の脚部に近づける。
（ｂ）昇降装置のアームを広幅シートの紙管の中に差し込む。
（ｃ）この差し込み状態で昇降部材を使用し、所望の位置まで持ち上げる。
（ｄ）所望の位置で広幅シートをアームから外す。
【０００７】
【発明の実施の態様】
本発明の装置において、脚部は平行に２本設け、それぞれアームとほぼ同じ長さであることが好ましい。
【０００８】
昇降部材の昇降はそれ自体公知の方法によればよい。例えば、油圧式又は機械式を採用することができる。
【０００９】
アームは、１本の棒材であることが好ましい。アームの長さは紙管の１／３  〜  ２／３が好ましく、紙管の１／２が最も好ましい。通常、半分程度しか紙管の中に入らないことになるが、短距離短時間の運搬なので、広幅シートが持ち上がれば十分である。むしろ完全に入ると、取り外すのに却って時間がかかり、能率が悪くなる。アームの太さは、３インチ内径の標準型紙管に楽に差し込むことができ、隙間が出来過ぎないものが好ましい。異なる紙管の長さに対応するためアームは伸縮自在とすることが好ましい。そのための機構としては、例えばそれ自体公知の入れ子式伸縮機構とすることができる。
【００１０】
本発明の方法において、広幅シートを昇降装置の２本の脚部の間まで運ぶのにはそりを使用するのが好ましい。
【００１１】
【実施例】
以下、添付の図面に基づき本発明の実施例を説明する。
【００１２】
図１、図２は、本発明の装置の斜視図であり、図１は広幅シート１０取付け前、図２は取付け後の状態である。
【００１３】
本実施例の昇降装置２０は、市販の手動油圧式パワーリフター（株式会社をくだ屋技研の「ＰＬ−Ｈ５００−１５」）を改造したものである。
【００１４】
この種の装置が当然備えているように、本装置２０も、移動用車輪２１を有する一対の脚部２２と、脚部から直立する一対の支柱２３を有し、支柱に沿って昇降部材２４が油圧駆動により昇降可能である。改造部分は、次の２点である。
【００１５】
（１）脚部２２を長くして重量物を安定的に支持できるようにしたこと。
（２）本来であれば、昇降部材２４から人間の両手のように２本前方に伸びる運搬部材（キャッチフォーク）があるべきところに、１本の長い棒状の運搬部材（アーム２５）を設けたこと。
【００１６】
この昇降装置に装着する広幅シート１０は、図１に並べて示したように、幅２〜５ｍの反物状であり、中央は空洞１１の紙管となっている。紙管の内径は３インチのものが標準である。広幅シートを工場内などで短距離移動させるには、車輪付きのそり１２に乗せて運搬する。そり１２は、平板１３と荷崩れ防止片１４からなる。
【００１７】
広幅シート１０を昇降装置２０に装着するには、次の工程による。
（１）そり１２に乗せた広幅シート１０を昇降装置の２本の脚部２２の間に入れる。脚部２２の水平長さは、アーム２５の長さとほぼ同じである。図２参照。
（２）昇降装置２０を少し前進させて、アーム２５を広幅シート１０の紙管１１の中に差し込む。図２参照。アームの太さは、３インチ内径の紙管に楽に差し込むことができ、隙間が出来過ぎないものが好ましい。アーム２５の長さは、紙管の約１／２である。
（３）この差し込み状態で昇降部材２４を作動させし、所望の位置まで持ち上げる。図２参照。
（４）所望の位置で作業員が広幅シート１０をアーム２５から外す。その位置は、インクジェットマシンの印刷物取付け位置である。この作業は、一人の作業員で十分である。
【００１８】
図示しないが、異なる長さの紙管に対応するため、アームは公知の伸縮機構を採用することにより、伸縮可能としておくことが好ましい。
【００１９】
【発明の効果】
本発明によれば、総重量が１００ｋｇを越すような広幅シートでも一人で簡単にインクジェットマシンに装着することができる。そのための装置も、既存のパワーリフターに僅かな改造を施すことで得られるので経済的である。
【図面の簡単な説明】
【図１】本発明の装置の斜視図であり、広幅シート１０取付け前の状態である。
【図２】本発明の装置の斜視図であり、広幅シート１０取付け取付け後の状態である。
【符号の説明】
１０          広幅シート
１１          紙管
１２          そり
２０          昇降装置
２２          脚部
２３          支柱
２４          昇降部材
２５          アーム
【図１】
2004358763.tif 000003
【図２】
2004358763.tif 000004